(57)【特許請求の範囲】
【請求項１】
紐状の装飾部材を有する装身具であって、
前記装飾部材に取り付けられた第一部材及び第二部材を有し、
前記第一部材及び前記第二部材は、それぞれ、環状に形成され、
前記第一部材の外形寸法は、前記第二部材の内形寸法より大きく形成され、
前記第一部材は、形状記憶ワイヤーと、該形状記憶ワイヤーを被覆する被覆部材と、を有してなり、弾性変形させることにより前記第二部材の内側を通過させることが可能に形成されていることを特徴とする装身具。
【請求項２】
前記第一部材及び前記第二部材のうち少なくとも一方が、前記装飾部材の長さ方向において互いに位置を異ならせて、複数取り付けられていることを特徴とする請求項１に記載の装身具。
【請求項３】
前記第一部材及び前記第二部材は、それぞれ、円環状に形成され、
前記第一部材の外径は、前記第二部材の内径より大きく形成されていることを特徴とする請求項１又は２に記載の装身具。
【請求項４】
前記被覆部材は、複数の筒状部材と、互いに隣り合う前記筒状部材の間に配設された関節部材と、を有してなり、
前記関節部材は、球体状又は楕円体状に形成されていることを特徴とする請求項１乃至３のうちいずれか一項に記載の装身具。
【発明の詳細な説明】
【技術分野】
【０００１】
本発明は、ネックレス、ブレスレット、アンクレッと等の紐状の装飾部材を有する装身具に関する。
【背景技術】
【０００２】
従来、紐状の装飾部材を有する装身具として、装飾部材の両端部を互いに連結する留め具を備えるものが知られている（特許文献１参照）。
この装身具では、留め具が、装飾部材の一端部に取り付けられた引き輪と、装飾部材の他端部に取り付けられた係止部材と、から構成されている。引き輪は、開閉ピンの操作により開閉可能な切欠き部を有している。また、係止部材は、引き輪を挿通させることが可能な挿通孔を有している。そして、この留め具では、引き輪の開閉ピンを操作して切欠き部を開放させることによって、引き輪を係止部材の挿通孔に挿通させ、又は、引き輪を係止部材の挿通孔から脱離させることが可能となっている。
【先行技術文献】
【特許文献】
【０００３】
【特許文献１】特開２０１１−８７６６３号公報
【発明の開示】
【発明が解決しようとする課題】
【０００４】
しかしながら、従来の装身具では、着脱する際に、引き輪の開閉ピンを操作して切欠き部を開放させる必要があるため、装身具の着脱が困難となる場合がある。
また、従来の装身具では、留め具の機能上、留め具の意匠性を向上することが難しく、留め具によって装身具全体の意匠性が低下する恐れがある。
本発明の課題は、着脱を容易に行うことができ、また、意匠性を向上することが可能な装身具を提供することにある。
【課題を解決するための手段】
【０００５】
上記課題を解決するために、第一の発明に係る装身具は、紐状の装飾部材を有する装身具であって、前記装飾部材に取り付けられた第一部材及び第二部材を有し、前記第一部材及び前記第二部材は、それぞれ、環状に形成され、前記第一部材の外形寸法は、前記第二部材の内形寸法より大きく形成され、前記第一部材は、形状記憶ワイヤーと、該形状記憶ワイヤーを被覆する被覆部材と、を有してなり、弾性変形させることにより前記第二部材の内側を通過させることが可能に形成されていることを特徴とする。
第一の発明に係る装身具では、装飾部材において、それぞれが環状に形成された第一部材及び第二部材が取り付けられている。そして、第一部材は、その外径寸法が第二部材の内径寸法より大きく形成されているとともに、弾性変形させることが可能に形成されている。
これにより、第一の発明に係る装身具では、装身具を装着する際には、第一部材を弾性変形させて、この第一部材を第二部材の内側を通過させることで、装飾部材が第二部材の内側に挿通された状態で、第一部材が第二部材により係止される。これによって、装飾部材における第一部材と第二部材との間の部分が環状に連結されて、装身具を装着することができる。
【０００６】
一方、装身具を取り外す際には、第一部材を弾性変形させて、この第一部材を第二部材の内側を通過させることで、第二部材による第一部材の係止が解除されるとともに、装飾部材が第二部材に挿通された状態が解除される。ここで、装身具を取り外す際には、第一部材を、装身具を装着する際とは逆の向きに、第二部材の内側を通過させる。これによって、装飾部材における第一部材と第二部材との間の部分が環状に連結された状態が解除されて、装身具を取り外すことができる。
したがって、第一の発明に係る装身具によれば、開閉ピンの操作等が不要となり、着脱を容易に行うことが可能となる。
また、第一の発明に係る装身具では、それぞれが環状に形成された第一部材及び第二部材によって、装身具を環状に連結することができる。
したがって、第一の発明に係る装身具によれば、引き輪等の留め具を用いる場合と比較して、意匠性を向上することが可能となる。
特に、第一の発明に係る装身具では、第一部材及び第二部材が簡単な構成となっていることによって、第一部材及び第二部材に対して装飾を施し易く、装身具の意匠性をさらに向上することが可能となる。
さらに、第一の発明に係る装身具では、第一部材が、形状記憶ワイヤーと、該形状記憶ワイヤーを被覆する被覆部材と、を有してなることによって、第二部材による第一部材の係止をより確実に行うことが可能となるとともに、第一部材の意匠性を向上することが可能となる。
以上のように、第一の発明に係る装身具によれば、着脱を容易に行うことが可能となり、また、意匠性を向上することが可能となる。
【０００７】
第二の発明に係る装身具は、第一の発明に係る装身具において、前記第一部材及び前記第二部材のうち少なくとも一方が、前記装飾部材の長さ方向において互いに位置を異ならせて、複数取り付けられていることを特徴とする。
第二の発明に係る装身具では、装飾部材において、第一部材及び前記第二部材のうち少なくとも一方が複数取り付けられている。
これにより、使用する第一部材と第二部材との組み合わせに応じて、装飾部材における環状に連結される部分のサイズを調整することが可能となる。
【０００８】
第三の発明に係る装身具は、第一又は第二の発明に係る装身具において、前記第一部材及び前記第二部材は、それぞれ、円環状に形成され、前記第一部材の外径は、前記第二部材の内径より大きく形成されていることを特徴とする。
第三の発明に係る装身具では、第一部材及び第二部材が、それぞれ、円環状に形成されている。
これにより、第一部材を第二部材の内側を通過させることが容易となり、装身具の着脱をさらに容易に行うことが可能となる。
また、第一部材及び第二部材の製造を容易に行うことができ、ひいては、装身具の製造を容易に行うことが可能となる。
【００１０】
第五の発明に係る装身具は、第四の発明に係る装身具において、前記被覆部材は、複数の筒状部材と、互いに隣り合う前記筒状部材の間に配設された関節部材と、を有してなり、前記関節部材は、球体状又は楕円体状に形成されていることを特徴とする。
第五の発明に係る装身具によれば、第一部材を容易に弾性変形させることができ、装身具の着脱をさらに容易に行うことが可能となる。
【発明の効果】
【００１１】
本発明によれば、着脱を容易に行うことが可能となり、また、意匠性を向上することが可能となる。
【図面の簡単な説明】
【００１２】
【図１】本発明の実施形態に係る装身具の平面図である。
【図２】図１に示す装身具が備える装飾リングの平面図である。
【図３】図２に示す装飾リングが備える筒状部材を示す斜視図である。
【図４】図２に示す装飾リングが備える関節部材を示す図である。
【図５】装身具の第一の使用状態を示す平面図である。
【図６】装身具の第二の使用状態を示す平面図である。
【図７】装身具の第三の使用状態を示す平面図である。
【発明を実施するための形態】
【００１３】
以下、本発明の実施形態に係る装身具１について、図面を参照しながら説明する。
装身具１は、本発明をネックレスとして実施したものである。
【００１４】
（装身具１の構成）
まず、装身具１の構成について説明する。
図１は、本発明の実施形態に係る装身具の平面図である。図２は、図１に示す装身具が備える装飾リングの平面図である。図３は、図２に示す装飾リングが備える筒状部材を示す斜視図である。図４は、図２に示す装飾リングが備える関節部材を示す図である。ここで、図４（ａ）は、関節部材の平面図であり、図４（ｂ）は、図４（ａ）に示すＡ−Ａ線に沿う断面図である。
図１に示すように、装身具１は、紐状に形成された装飾部材１０と、装飾部材１０に取り付けられた係止側装飾リング（第二部材）２０（２０ａ〜２０ｄ）及び被係止側装飾リング（第一部材）３０（３０ａ〜３０ｄ）と、を備えている。
【００１５】
装飾部材１０は、チェーン、革紐、ワイヤー等によって、所定の長さを有する長尺状に構成されている。本実施形態では、装飾部材１０は、７本の装飾チェーン１０ａ〜１０ｇによって構成されている。各装飾チェーン１０ａ〜１０ｇは、貴金属により形成されている。７本の装飾チェーン１０ａ〜１０ｇは、係止側装飾リング２０及び被係止側装飾リング３０を介して、互いに一連となるように連結されている。ここで、装飾部材１０の中心に配置されている装飾チェーン１０ｄは、後述するように装身具１の装着時に首にかけられる部分であり、他の各装飾チェーン１０ａ，１０ｂ，１０ｃ，１０ｅ，１０ｆ，１０ｇよりも長く形成されている。
【００１６】
係止側装飾リング２０及び被係止側装飾リング３０は、同一の構成となっている。したがって、本実施形態では、被係止側装飾リング３０の構成について説明して、係止側装飾リング２０の説明を省略する。
図２に示すように、被係止側装飾リング３０は、環状（無端状）に形成されている。本実施形態では、各被係止側装飾リング３０は、平面視で円形となるように、円環状に形成されている。ここで、被係止側装飾リング３０は、環状であれば、平面視で多角形、星形等、他の形となるように形成しても構わない。
各被係止側装飾リング３０は、弾性変形させることが可能に形成されている。本実施形態では、各被係止側装飾リング３０は、形状記憶ワイヤーＷ（図３及び図４参照）と、形状記憶ワイヤーＷを被覆する被覆部材３１と、を有して構成されている。
形状記憶ワイヤーＷは、環状に（本実施形態では、円環状）に形成されている。本実施形態では、形状記憶ワイヤーＷは、その両端部がレーザー直接融着加工により互いに接続されて、円環状に形成されている。形状記憶ワイヤーＷは、円環状の形状を記憶しており、弾性変形されても元の形状に復帰することが可能となっている。そして、各被係止側装飾リング３０では、形状記憶ワイヤーＷが被覆部材３１内に挿通されていることによって、被覆部材３１の形状を円環状に保持している。
【００１７】
被覆部材３１は、複数の筒状部材３２と、互いに隣り合う筒状部材３２の間に配設された関節部材３３と、を有して構成されている。図３に示すように、筒状部材３２は、円筒状に形成され、その内側に形状記憶ワイヤーＷを挿通させることが可能となっている。図４に示すように、関節部材３３は、楕円体状に形成されている。関節部材３３には、その中心軸に沿って、形状記憶ワイヤーＷを挿通させることが可能な挿通孔３３ａが設けられている。
ここで、本実施形態では、被覆部材３１は、装飾部材１０と同一の貴金属により形成されている。しかしながら、被覆部材３１は、樹脂等の外面にメッキ加工を施すことによって形成しても構わない。また、被覆部材３１（特に、筒状部材３２）の外面には、意匠性を向上するための模様が施されている。
【００１８】
各被係止側装飾リング３０では、形状記憶ワイヤーＷを外部から視認することができないように、複数の筒状部材３２及び複数の関節部材３３が形状記憶ワイヤーＷを覆っている。各被係止側装飾リング３０では、筒状部材３２と関節部材３３とが交互に配置されている。特に、各関節部材３３は、その各端部が隣接する筒状部材３２の内部に挿入された状態で配設されている。これによって、被係止側装飾リング３０の弾性変形を容易に行うことを可能としつつ、被係止側装飾リング３０が弾性変形された際にも形状記憶ワイヤーＷが露出することを防止可能となる。
本実施形態では、装飾部材１０において、係止側装飾リング２０及び被係止側装飾リング３０が、それぞれ、複数取り付けられている。具体的には、装飾部材１０の一端側において、２つの係止側装飾リング２０ａ，２０ｃ及び２つの被係止側装飾リング３０ｂ，３０ｄが取り付けられている。また、装飾部材１０の他端側において、２つの係止側装飾リング２０ｂ，２０ｄ及び２つの被係止側装飾リング３０ａ，３０ｃが取り付けられている。
【００１９】
４つの係止側装飾リング２０ａ〜２０ｄ及び４つの被係止側装飾リング３０ａ〜３０ｄは、装飾部材１０の長さ方向において互いに位置を異ならせて、係止側装飾リング２０と被係止側装飾リング３０とが交互に並ぶように配設されている。具体的には、装飾部材１０の一端部側では、先端に係止側装飾リング２０ａが配置され、先端から中心に向かって、被係止側装飾リング３０ｂ、係止側装飾リング２０ｃ、被係止側装飾リング３０ｄが配置されている。一方、装飾部材１０の他端部側では、先端に被係止側装飾リング３０ａが配置され、先端から中心に向かって、係止側装飾リング２０ｂ、被係止側装飾リング３０ｃ、係止側装飾リング２０ｄが配置されている。
そして、係止側装飾リング２０ａと被係止側装飾リング３０ｂとは、装飾チェーン１０ａによって互いに連結されている。被係止側装飾リング３０ｂと係止側装飾リング２０ｃとは、装飾チェーン１０ｂによって互いに連結されている。係止側装飾リング２０ｃと被係止側装飾リング３０ｄとは、装飾チェーン１０ｃによって互いに連結されている。被係止側装飾リング３０ｄと係止側装飾リング２０ｄとは、装飾チェーン１０ｄによって互いに連結されている。係止側装飾リング２０ｄと被係止側装飾リング３０ｃとは、装飾チェーン１０ｅによって互いに連結されている。被係止側装飾リング３０ｃと係止側装飾リング２０ｂとは、装飾チェーン１０ｆによって互いに連結されている。係止側装飾リング２０ｂと被係止側装飾リング３０ａとは、装飾チェーン１０ｇによって互いに連結されている。これによって、装飾チェーン１０ａ〜１０ｇ、係止側装飾リング２０ａ〜２０ｄ及び被係止側装飾リング３０ａ〜３０ｄが一連に連結されて、装身具１が形成されている。
【００２０】
ここで、被係止側装飾リング３０の外形寸法（本実施形態では、外径）は、係止側装飾リング２０の内形寸法（本実施形態では、内径）より大きく形成されている。特に、装飾具１では、係止側装飾リング２０ａと被係止側装飾リング３０ａとが対応しており、被係止側装飾リング３０ａの外径が、係止側装飾リング２０ａの内径より大きく形成されている。また、係止側装飾リング２０ｂと被係止側装飾リング３０ｂとが対応しており、被係止側装飾リング３０ｂの外径が、係止側装飾リング２０ｂの内径より大きく形成されている。また、係止側装飾リング２０ｃと被係止側装飾リング３０ｃとが対応しており、被係止側装飾リング３０ｃの外径が、係止側装飾リング２０ｃの内径より大きく形成されている。さらに、係止側装飾リング２０ｄと被係止側装飾リング３０ｄとが対応しており、被係止側装飾リング３０ｄの外径が、係止側装飾リング２０ｄの内径より大きく形成されている。
したがって、装身具１では、各係止側装飾リング２０ａ〜２０ｄによって、当該係止側装飾リング２０ａ〜２０ｄに対応する被係止側装飾リング３０ａ〜３０ｄを係止することが可能となっている。具体的には、被係止側装飾リング３０ａ〜３０ｄは、弾性変形させることによって、係止側装飾リング２０ａ〜２０ｄの内側を一方側から他方側に向かって通過させることができる。そして、係止側装飾リング２０ａ〜２０ｄの内側を通過した被係止側装飾リング３０ａ〜３０ｄは、係止側装飾リング２０ａ〜２０ｄに係止されることよって、係止側装飾リング２０ａ〜２０ｄの内側を他方側から一方側に向かって戻る（通過する）ことが阻止される。
【００２１】
（装身具１の使用方法）
次に、装身具１の使用方法について説明する。
図５は、装身具の第一の使用状態を示す平面図である。図６は、装身具の第二の使用状態を示す平面図である。図７は、装身具の第三の使用状態を示す平面図である。
装身具１を装着する際は、まず、装飾部１０の中心に配置されている装飾チェーン１０ｄを首の後側にかけ回して、装飾部材１０の両端部のそれぞれを首の前側に垂れ下げた状態とする。
【００２２】
次に、装飾部材１０の一端側（または、他端側）に取り付けられている被係側装飾リング３０を、装飾部材１０の他端側（または、一端側）に取り付けられている係止側装飾リング２０の内側を一方側から他方側に向かって通過させる。これには、指で被係側装飾リング３０を押圧して、被係止側装飾リング３０の外形（幅）が係止側装飾リング２０の内形（内径）より小さくなるように、被係止側装飾リング３０を弾性変形させる。これによって、被係止側装飾リング３０を、係止側装飾リング２０の内側を通過させることができる。そして、被係止側装飾リング３０を係止側装飾リング２０の内側を通過させた後に、指による被係止側装飾リング３０の押圧を解除する。これによって、被係止側装飾リング３０の形状が円環状に復帰して、被係止側装飾リング３０の外形（外径）が、係止側装飾リング２０の内形（内径）より大きくなる。したがって、被係止側装飾リング３０が係止側装飾リング２０により係止されて、被係止側装飾リング３０が係止側装飾リング２０の内側を他方側から一方側に向かって戻る（通過する）ことが阻止される。すなわち、装飾部材１０が係止側装飾リング２０に挿通された状態で、被係止側装飾リング３０が係止側装飾リング２０により係止される。よって、装飾部材１０における被係止側装飾リング３０と係止側装飾リング２０との間の部分が環状に連結されて、装身具１を装着することができる。
【００２３】
ここで、装身具１では、使用する係止側装飾リング２０ａ〜２０ｄと被係止側装飾リング３０ａ〜３０ｄとの組み合わせに応じて、装飾部材１０により形成される環の大きさを調整することが可能となっている。具体的には、係止側装飾リング２０ａと被係止側装飾リング３０ａとを組み合わせた場合に装飾部材１０により形成される環の大きさが最大となり、係止側装飾リング２０ｂと被係止側装飾リング３０ｂとを組み合わせた場合、係止側装飾リング２０ｃと被係止側装飾リング３０ｃとを組み合わせた場合、係止側装飾リング２０ｄと被係止側装飾リング３０ｄとを組み合わせた場合の順に、装飾部材１０により形成される環の大きさが小さくなる。
【００２４】
例えば、装飾部材１０により形成される環を最大にしたい場合には、図５に示すように、被係止側装飾リング３０ａを、係止側装飾リング２０ａの内側を通過させる。これにより、装飾チェーン１０ｇが係止側装飾リング２０ａに挿通された状態で、被係止側装飾リング３０ａが係止側装飾リング２０ａによって係止される。
また、装飾部材１０により形成される環を小さくしたい場合には、図６に示すように、被係止側装飾リング３０ｃを、係止側装飾リング２０ｃの内側を通過させる。これにより、装飾チェーン１０ｅ及び装飾チェーン１０ｆが係止側装飾リング２０ｃに挿通された状態で、被係止側装飾リング３０ｃが係止側装飾リング２０ｃによって係止される。
この際、図７に示すように、被係止側装飾リング３０ｃから被検視側装飾リング３０ａまでを、係止側装飾リング２０ｃの内側を通過させても構わない。これにより、装飾チェーン１０ｅが係止側装飾リング２０ｃに挿通された状態で、被係止側装飾リング３０ｃが係止側装飾リング２０ｃによって係止される。
【００２５】
一方、装身具１を取り外す際には、係止側装飾リング２０により係止されている被係止側装飾リング３０を、係止側装飾リング２０の内側を他方側から一方側（装着時と逆側）に向かって通過させる。この際、指で被係側装飾リング３０を押圧して、被係止側装飾リング３０の外形が係止側装飾リング２０の内形より小さくなるように、被係止側装飾リング３０を弾性変形させて、係止側装飾リング２０の内側を通過させる。これにより、係止側装飾リング２０による被係止側装飾リング３０の係止が解除される。したがって、装飾部材１０における被係止側装飾リング３０と係止側装飾リング２０との間の部分が環状に連結された状態が解除されて、装身具１を取り外すことができる。
【００２６】
以上のように、装身具１では、装飾部材１０において、それぞれが環状に形成された被係止側装飾リング３０及び係止側装飾リング２０が取り付けられている。そして、被係止側装飾リング３０は、その外径寸法が係止側装飾リング２０の内径寸法より大きく形成されているとともに、弾性変形させることが可能に形成されている。
これにより、装身具１では、装身具１を装着する際には、被係止側装飾リング３０を弾性変形させて、この被係止側装飾リング３０を係止側装飾リング２０の内側を通過させることで、装飾部材１０が係止側装飾リング２０の内側に挿通された状態で、被係止側装飾リング３０が係止側装飾リング２０により係止される。これによって、装飾部材１０における被係止側装飾リング３０と係止側装飾リング２０との間の部分が環状に連結されて、装身具１を装着することができる。
【００２７】
一方、装身具１を取り外す際には、被係止側装飾リング３０を弾性変形させて、この被係止側装飾リング３０を係止側装飾リング２０の内側を通過させることで、係止側装飾リング２０による被係止側装飾リング３０の係止が解除されるとともに、装飾部材１０が係止側装飾リング２０に挿通された状態が解除される。これによって、装飾部材１０における被係止側装飾リング３０と係止側装飾リング２０との間の部分が環状に連結された状態が解除されて、装身具１を取り外すことができる。
したがって、装身具１によれば、開閉ピンの操作等が不要となり、着脱を容易に行うことが可能となる。
【００２８】
また、装身具１では、それぞれが環状に形成された被係止側装飾リング３０及び係止側装飾リング２０によって装身具１を環状に連結することができるため、引き輪等の留め具を用いる場合と比較して、意匠性を向上することが可能となる。
特に、被係止側装飾リング３０及び係止側装飾リング２０は、簡単な構成となっているため、装飾を施し易く、装身具１の意匠性をさらに向上することが可能となる。
以上のように、装身具１によれば、着脱を容易に行うことが可能となり、また、意匠性を向上することが可能となる。
【００２９】
また、装身具１では、装飾部材１０において、被係止側装飾リング３０及び係止側装飾リング２０が複数取り付けられていることによって、使用する被係止側装飾リング３０と係止側装飾リング２０との組み合わせに応じて、装飾部材１０における環状に連結される部分のサイズを調整することが可能となる。
また、装身具１は、被係止側装飾リング３０及び係止側装飾リング２０が、それぞれ、円環状に形成されていることによって、被係止側装飾リング３０を係止側装飾リング２０の内側を通過させることが容易となり、装身具１の着脱をさらに容易に行うことが可能となる。また、被係止側装飾リング３０及び係止側装飾リング２０の製造を容易に行うことができ、ひいては、装身具１の製造を容易に行うことが可能となる。
【００３０】
また、装身具１では、被係止側装飾リング３０が、形状記憶ワイヤーＷと、形状記憶ワイヤーＷを被覆する被覆部材３１とを有してなることによって、係止側装飾リング２０による被係止側装飾リング３０の係止をより確実に行うことが可能となるとともに、被係止側装飾リング３０の意匠性を向上することが可能となる。
さらに、装身具１では、被覆部材３１が、複数の筒状部材３２と、互いに隣り合う筒状部材３２の間に配設された関節部材３３とを有してなり、関節部材３３が楕円体状に形成されていることによって、被係止側装飾リング３０を容易に弾性変形させることができ、装身具１の着脱をさらに容易に行うことが可能となる。
【００３１】
（変形例）
以上、本発明の実施形態について説明したが、上記実施形態では、種々の変更を行うことが可能である。
例えば、上記実施形態では、係止側装飾リング２０及び被係止側装飾リング３０は、同一の構成となっている。しかしながら、被係止側装飾リング３０が弾性変形させることが可能な材料により形成されていれば、係止側装飾リング２０は、弾性変形させることができない材料（被係止側装飾リング３０を形成する材料より固い材料）により形成されていても構わない。
また、上記実施形態では、被係止側装飾リング３０を、形状記憶ワイヤーＷと、被覆部材３１と、により形成している。しかしながら、被係止側装飾リング３０は、弾性変形させることが可能であれば、ゴム、樹脂、金属等により形成しても構わない。
【００３２】
また、上記実施形態では、装飾部材１０において、係止側装飾リング２０及び被係止側装飾リング３０が、それぞれ、複数取り付けられている。しかしながら、装飾部材１０において、係止側装飾リング２０及び被係止側装飾リング３０が、それぞれ、一つずつ取り付けられていても構わない。また、装飾部材１０において、係止側装飾リング２０及び被係止側装飾リング３０のうち少なくとも一方が、装飾部材１０の長さ方向において互いに位置を異ならせて、複数取り付けられていても構わない。
また、上記実施形態では、被覆部材３１の関節部材３３が、楕円体状に形成されている。しかしながら、関節部材３３は、球体状に形成しても構わない。この場合にも、各被係止側装飾リング３０において、各関節部材３３を、その各端部が隣接する筒状部材３２の内部に挿入された状態で配設することによって、被係止側装飾リング３０の弾性変形を容易に行うことを可能としつつ、被係止側装飾リング３０が弾性変形された際にも形状記憶ワイヤーＷが露出することを防止可能となる。
【００３３】
また、上記実施形態では、装飾部材１０が、７本の装飾チェーン１０ａ〜１０ｇに分割されている。しかしながら、装飾部材１０を１本の紐状（長尺状）の部材から構成しても構わない。
さらに、上記実施形態では、本発明をネックレスとして実施している。しかしながら、本発明は、ブレスレット、アンクレット等、他の長尺状の装身具として実施するこが可能である。
【符号の説明】
【００３４】
１              装身具
１０            装飾部材
２０            係止側装飾リング
３０            被係止側装飾リング
１０ａ〜１０ｇ  装飾チェーン
Ｗ              形状記憶ワイヤー
３１            被覆部材
３２            筒状部材
３３            関節部材
３３ａ          挿通孔
【図１】
0005819720.tif 000002
【図２】
0005819720.tif 000003
【図３】
0005819720.tif 000004
【図４】
0005819720.tif 000005
【図５】
0005819720.tif 000006
【図６】
0005819720.tif 000007
【図７】
0005819720.tif 000008